(57)【特許請求の範囲】
【請求項１】
把持部とこの把持部の上端部で一体的に設けられた頭部とを有する剃刀本体でその頭部には指当て摘みの操作により互いに開閉動する両支持アームを組み込み、この頭部から突出する両支持アームの外端部に対し両支持アームの開閉動に伴い替刃カートリッジを係脱可能に支持するようにした剃刀において、
前記剃刀本体の頭部には前記指当て摘みが露出する操作孔の内壁面からその指当て摘みの周りで連続する指規制外面に対し立ち上がる指規制壁面をこの指当て摘みに対し指当て許容空間をあけて隣接して形成し、
前記指規制壁面では、前記両支持アームの外端部に対し前記指当て摘みを介在させた位置に設けた主壁面と、この主壁面の両側から両支持アームの外端部側へ延びてこの指当て摘みを介在させるように設けた両側壁面とが互いに連続して、この両側壁面の間隔が主壁面から両支持アームの外端部側へ向かうに従い互いに広がるとともに、この主壁面に隣接して頭部に設けた指掛け部の端部に形成した突壁面をこの主壁面上に重ねて、前記指規制外面に対するこの突壁面の高さを、この指規制外面に対する両側壁面の高さよりも高く設定し、
前記指当て摘みの上面は、前記指規制外面と主壁面と両側壁面とで形成した凹所の指当て許容空間で、前記主壁面の上端縁と前記両側壁面の上端縁とに接する面上の開放面よりも内側にあるか、またはこの開放面の付近にある
ことを特徴とする剃刀。
【発明の詳細な説明】
【０００１】
【発明の属する技術分野】
本発明は、剃刀本体に備えた各種機能部を作動させる指当て摘みをこの機能部に隣接して剃刀本体の外側へ露出させた剃刀に関するものである。
【０００２】
【従来の技術】
従来、例えば、意匠公報第１０５７３３５号に記載の安全剃刀用ホルダにおいては、剃刀本体の頭部で外側へ露出させた指当て摘みの操作により互いに開閉動する機能部としての両支持アームを備え、この両支持アームに対し替刃カートリッジを係脱可能に支持している。
【０００３】
【発明が解決しようとする課題】
しかし、剃刀本体の頭部において指当て摘みの周り全体が平坦になっているため、使用者が指当て摘みを操作することを積極的に意識しないで剃刀本体の頭部に触れると、使用者の指が指当て摘みに対し不用意に触れるおそれがあった。そのため、機能部としての両支持アームが不用意に作動することが起こり得た。
【０００４】
この発明は、使用者の指が指当て摘みに対し不用意に触れにくくなるように指当て摘みの周りの外形状を改良することを目的としている。
【０００５】
【課題を解決するための手段及び発明の効果】
後記実施形態の図面（図１〜２）の符号を援用して本発明を説明する。
請求項１の発明にかかる剃刀は、下記のように構成されている。
【０００６】
この剃刀においては、把持部（３）とこの把持部（３）の上端部で一体的に設けられた頭部（４）とを有する剃刀本体（２）でその頭部（４）には指当て摘み（１０）の操作により互いに開閉動する両支持アーム（５）を組み込み、この頭部（４）から突出する両支持アーム（５）の外端部（５ｂ）に対し両支持アーム（５）の開閉動に伴い替刃カートリッジ（１）を係脱可能に支持するようにしている。
前記剃刀本体（２）の頭部（４）には前記指当て摘み（１０）が露出する操作孔（１２）の内壁面（１２ａ）からその指当て摘み（１０）の周りで連続する指規制外面（１３）に対し立ち上がる指規制壁面（１４）をこの指当て摘み（１０）に対し指当て許容空間（１６）をあけて隣接して形成している。
前記指規制壁面（１４）では、前記両支持アーム（５）の外端部（５ｂ）に対し前記指当て摘み（１０）を介在させた位置に設けた主壁面（１８）と、この主壁面（１８）の両側から両支持アーム（５）の外端部（５ｂ）側へ延びてこの指当て摘み（１０）を介在させるように設けた両側壁面（１９）とが互いに連続して、この両側壁面（１９）の間隔（Ｗ）が主壁面（１８）から両支持アーム（５）の外端部（５ｂ）側へ向かうに従い互いに広がるとともに、この主壁面（１８）に隣接して頭部（４）に設けた指掛け部（１７）の端部に形成した突壁面（２０）をこの主壁面（１８）上に重ねて、前記指規制外面（１３）に対するこの突壁面（２０）の高さ（Ｈ２０）を、この指規制外面（１３）に対する両側壁面（１９）の高さ（Ｈ１９）よりも高く設定している。例えば、指規制壁面（１４）において主壁面（１８）と両側壁面（１９）とはＵ状に連続し、Ｕ状の指規制壁面（１４）の場合、指当て摘み（１０）と両支持アーム（５）の外端部（５ｂ）との間では指規制壁面（１４）を積極的に形成していないが、これらの間で両側壁面（１９）をつなぐ指規制壁面（１４）を形成して全体で環状の指規制壁面（１４）としてもよい。
前記指当て摘み（１０）の上面（１０ａ）は、前記指規制外面（１３）と主壁面（１８）と両側壁面（１９）とで形成した凹所（１５）の指当て許容空間（１６）で、前記主壁面（１８）の上端縁（１８ａ）と前記両側壁面（１９）の上端縁（１９ａ）とに接する面上の開放面（２１）よりも内側にあるか、またはこの開放面（２１）の付近にある。
【００１０】
請求項１の発明は下記＊の効果を有する。
＊  使用者が指当て摘み（１０）を操作することを積極的に意識しない場合、指当て摘み（１０）の周りの外観形状的特徴から、通常、使用者の指は、指規制壁面１４における主壁面（１８）の上端縁（１８ａ）上や両側壁面（１９）の上端縁（１９ａ）上に載って指規制外面（１３）から浮き上がり、しかも指当て許容空間（１６）により指当て摘み（１０）から離れる。その場合、使用者は指を指規制壁面（１４）における主壁面（１８）の上端縁（１８ａ）上や両側壁面（１９）の上端縁（１９ａ）上で滑動させることが多い。また、使用者が指当て摘み（１０）の操作を意識すると、使用者は、指を指規制壁面（１４）における主壁面（１８）の上端縁（１８ａ）上や両側壁面（１９）の上端縁（１９ａ）上から指当て摘み（１０）の上面（１０ａ）に意識的に移して指当て摘み（１０）を操作する。従って、指規制壁面（１４）における主壁面（１８）や両側壁面（１９）を剃刀本体（２）に形成すると、使用者の指が指当て摘み（１０）に対し不用意に触れにくくなる。
【００１１】
＊  使用者の指は、主壁面（１８）上に重ねた突壁面（２０）上に載って指規制外面（１３）からより一層浮き上がる。従って、使用者の指が指当て摘み（１０）に対しより一層触れにくくなる。
【００１４】
＊ 指当て摘み（１０）の周りを指規制壁面（１４）における主壁面（１８）や両側壁面（１９）により凹所（１５）の指当て許容空間（１６）をあけて囲むことができる。従って、指規制壁面（１４）における主壁面（１８）や両側壁面（１９）の機能が確実に発揮されて使用者の指が指当て摘み（１０）に対しより一層触れにくくなる。
【００１５】
＊  指当て摘み（１０）の上面（１０ａ）が凹所（１５）の指当て許容空間（１６）で開放面（２１）よりも内側にあるか、またはこの開放面（２１）の付近にあるため、指規制壁面（１４）における主壁面（１８）や両側壁面（１９）の機能が確実に発揮されて使用者の指が指当て摘み（１０）に対しより一層触れにくくなる。
【００１７】
＊ 両側壁面（１９）の間隔（Ｗ）の広がりにより、使用者が指当て摘み（１０）を操作することを積極的に意識しない場合に使用者が指を指規制壁面（１４）における主壁面（１８）の上端縁（１８ａ）上や両側壁面（１９）の上端縁（１９ａ）上で主壁面（１８）の上端縁（１８ａ）から両側壁面（１９）の上端縁（１９ａ）に沿って両支持アーム（５）の外端部（５ｂ）側へ滑動させると、使用者の指は指当て摘み（１０）から次第に離れる。従って、使用者の指が指当て摘み（１０）に対しより一層触れにくくなる。
【００２０】
【発明の実施の形態】
以下、本発明の一実施形態にかかる剃刀について図面を参照して説明する。
＜首振り式剃刀の概要＞
この首振り式剃刀は、図２に示すように、替刃カートリッジ１とこれを首振り可能に支持する剃刀本体２（ホルダ）とを備えている。この剃刀本体２は、把持部３とこの把持部３の上端部で一体的に設けられた頭部４とを備えている。この頭部４には左右両支持アーム５と操作部６とプッシャ７と弾性体８（圧縮コイルばね）とが組み込まれている。前記操作部６は、互いに一体化された内側操作部９と外側操作部としての指当て摘み１０とを有し、頭部４に対し前後方向Ｘへ移動し得るように支持されている。前記プッシャ７は前記内側操作部９の前側で頭部４及び内側操作部９に対し前後方向Ｘへ移動し得るように支持されている。前記弾性体８はプッシャ７と内側操作部９との間で支持されている。この弾性体８の付勢力により、プッシャ７と内側操作部９とが互いに離間し、プッシャ７が頭部４の前端部から前方へ突出して静止しているとともに、内側操作部９が後退して静止している。内側操作部９の左右両側で頭部４に支軸部１１が形成されている。前記左右両支持アーム５は左右両支軸部１１で回動可能に支持されている。この左右両支持アーム５の内端部５ａは内側操作部９に係合されている。この左右両支持アーム５の外端部５ｂはプッシャ７の左右両側で頭部４の前端部から前方へ突出している。前記操作部６（内側操作部９及び外側操作部としての指当て摘み１０）を前進位置にすると、左右両支持アーム５の外端部５ｂは互いに開く。この操作部６を後退位置にすると、左右両支持アーム５の外端部５ｂは互いに閉じる。前記プッシャ７を前記替刃カートリッジ１に圧接した状態で左右両支持アーム５を互いに閉じると、それらの外端部５ｂにより替刃カートリッジ１が回動可能に支持されて首振り可能になる。左右両支持アーム５を互いに開くと、それらの外端部５ｂから替刃カートリッジ１が分離される。
【００２１】
＜図１，２に示す剃刀本体２の頭部４の外形状＞
前記指当て摘み１０は、剃刀本体２の頭部４上に形成された操作孔１２から外側へ露出し、前記左右両支持アーム５の外端部５ｂに対しその後方で隣接している。この剃刀本体２の頭部４上には、前記操作孔１２の内壁面１２ａから連続する面一の指規制外面１３が前記指当て摘み１０の周りで広がり、図１（ａ）に示すようにこの指当て摘み１０の後方及び左右両方でＵ状をなす段差状の指規制壁面１４がこの指規制外面１３に対し立ち上がるように形成されている。この指規制壁面１４と指規制外面１３とで形成された凹所１５において、指規制壁面１４が指当て摘み１０に対し指当て許容空間１６をあけて隣接し、この指当て許容空間１６が指当て摘み１０の周りで広がっている。前記剃刀本体２の把持部３上には、前記指当て摘み１０の後方で指掛け部１７が指規制壁面１４に隣接して形成されている。
【００２２】
前記Ｕ状指規制壁面１４は主壁面１８と左右両側壁面１９と突壁面２０とを有している。この主壁面１８は、頭部４と把持部３との境界付近で、前記左右両支持アーム５の外端部５ｂに対し前記指当て摘み１０を介在させた位置に形成されている。この左右両側壁面１９は、頭部４の左右両端縁部４ａにおいて、主壁面１８の左右両側で指当て摘み１０を介在させるように主壁面１８の左右両側から連続して延びるように形成されている。前記突壁面２０は、前記把持部３の指掛け部１７の端部で主壁面１８上に重ねられている。前記指規制外面１３に対する突壁面２０の高さＨ２０は、この指規制外面１３に対する左右両側壁面１９の高さＨ１９よりも高く設定されている。この左右両側壁面１９は、それらの左右方向間隔Ｗが前記主壁面１８から前記左右両支持アーム５の外端部５ｂ側へ向かうに従い互いに広がるように形成されている。前記指当て摘み１０の上面１０ａは、前記凹所１５において前記主壁面１８の上端縁１８ａと前記両側壁面１９の上端縁１９ａとの間に形成した開放面２１よりも内側にあるか、またはこの開放面２１の付近にある。
【図面の簡単な説明】
【図１】  （ａ）は本実施形態にかかる剃刀の頭部側を示す部分正面図であり、（ｂ）は同じく部分側面図であり、（ｃ）は（ｂ）のＡ−Ａ線部分断面図である。
【図２】  （ａ）は本実施形態にかかる剃刀の頭部側を平面側から見た部分断面図であり、（ｂ）は同じく側面側から見た部分断面図である。
【符号の説明】
１…替刃カートリッジ、２…剃刀本体、５…支持アーム（機能部）、１０…指当て摘み、１０ａ…上面、１２…操作孔、１２ａ…内壁面、１３…指規制外面、１４…指規制壁面、１５…凹所、１６…指当て許容空間、１８…主壁面、１８ａ…上端縁、１９…側壁面、１９ａ…上端縁、２０…突壁面、２１…開放面、Ｈ１９，Ｈ２０…高さ、Ｗ…間隔。
【図１】
0003762297.tif 000002
【図２】
0003762297.tif 000003